(57)【要約】      （修正有）【課題】ロッドアンテナを保持するホルダの小型化及び低コスト化を可能にした、アンテナホルダ構造を提供する。【解決手段】ロッドアンテナに挿入され、弾性及び導電性を有するホルダ２０において、ホルダの円筒部に軸方向（挿入方向）にスリットで区切られた複数の板バネ２１を傾斜状に成形する。ホルダの筒部がスプリングとして機能することにより、ロッドアンテナを伸長または収納時に固定する保持力、及びロッドアンテナ伸長時に、任意の角度で保持するための保持力を発生する。【選択図】図３
0003184408.tif 000002
【実用新案登録請求の範囲】
【請求項１】
ロッドアンテナに挿入され、弾性及び導電性を有するホルダにおいて、前記ホルダの円筒部には軸方向（挿入方向）にスリットで区切られた複数の板バネを備え、前記複数の板バネは傾斜状に成形されていることを特徴とするアンテナホルダ構造。
【請求項２】
ロッドアンテナに挿入され、弾性及び導電性を有するホルダにおいて、前記ホルダの円筒部に軸方向（挿入方向）にスリットで区切られた複数の板バネを備え、前記複数の板バネはハの字状に成形されていることを特徴とするアンテナホルダ構造。
【請求項３】
ロッドアンテナに挿入され、弾性及び導電性を有するホルダにおいて、前記ホルダの円筒部に軸方向（挿入方向）にスリットで区切られた複数の板バネを備え、前記複数の板バネはくの字又は、逆くの字状に成形されていることを特徴とするアンテナホルダ構造。
【請求項４】
前記板状バネの板厚が、ホルダを成形している板厚よりも薄く成形されていることを特徴とする請求項１〜３のいずれか１項に記載のアンテナホルダ構造。
【請求項５】
前記ホルダには孔が設けられた鍔が成形されていることを特徴とする請求項１〜４いずれか１項に記載のアンテナホルダ構造。
【請求項６】
前記ホルダに成形された鍔部に接点ピンが設けられていることを特徴する請求項１〜５いずれか１項に記載のアンテナホルダ構造。
【考案の詳細な説明】
【技術分野】
【０００１】  本考案は、電子機器に搭載されたアンテナに関する。特に、ロッドアンテナを保持するためのアンテナホルダ構造に関する。
【背景技術】
【０００２】  従来テレビ放送及びラジオ放送を受信する電子機器には、伸縮可能なロッドアンテナが装着されている。近年、テレビ放送はデジタル化され、地上デジタル放送（以下地デジとする）となり、小型の電子機器においても表示品質の良い地デジを視聴する機能が盛り込まれてれている。ユーザーは、地デジ放送を視聴をする場合、通常、搭載されている地デジ用のアンテナを引き出し、地デジ放送を視聴する。その際、アンテナを地デジ放送の表示が良好となる角度を探し、所定の位置に止めてから視聴をしている。【０００３】  しかし、電子機器の筐体は、年々薄型となり、ディスプレイは大型化の傾向にあり、筐体中に搭載される電子部品は更なる集積化を必要としている。特に電子部品の中で、地デジ放送等を受信するために必要なロッドアンテナの占有スペースは、前述した集積化に対応するため、特に小型化、細型化が求められている。【０００４】  そのため、ロッドアンテナを限りなく小さいスペースで取付ることが望まれている。従来からの技術によると、アンテナを電子機器に取り付けるため、ホルダ（ダイキャスト鋳造やプレス成形された金属部品）が装着されており、電子機器の上部又は側面等のわずかなスペースを利用し、ロッドアンテナを取り付けている。特に収納型（筐体の中に収納）のロッドアンテナについては、取付部を小型化し、筐体内へ収納するアンテナのスペースを極力少なくする取り組みが行われている。その結果、アンテナを筐体と接続するための部品となるホルダの小型化は今後の電子機器には必須要件となっている。
【考案の概要】
【考案が解決しようとする課題】
【０００５】  解決しようとする課題点は、ロッドアンテナの取付部となるホルダを小型化することである。従来のホルダの構成において（図７）、ロッドアンテナを取り付けるためのホルダ７０の内部には、筒状のスプリング７１が装着され、そのスプリングによりロッドアンテナを所定の位置で固定する保持力を確保している。
また、アンテナを保持する機能とアンテナの給電ポイントとしての機能も備える必要があり、素材は導電性を有していなくてはならない。【０００６】  電子機器の集積化、薄型化、に伴い、ロッドアンテナに対しても同様に、小型化、細型化が要求され、従来と同じホルダ構造で小型化した場合、適切なバネ荷重を得ることが難しく、ロッドアンテナを引き出し時の保持力及び、回転時の適切な保持力を得ることが困難な状況となって来ている。【０００７】  そこで、本考案が解決しようとする課題は、ロッドアンテナのホルダにスプリング機能を持たせ、ロッドアンテナの取付構造と保持機構とを兼ね備える部品として統合し、コストの削減を図り、小型化にも適応する保持機構を提供することを目的としている。
【課題を解決するための手段】
【０００８】  上記目的を達成するため請求項１に記載された考案は、
ロッドアンテナに挿入され、弾性及び導電性を有するホルダにおいて、前記ホルダの円筒部に、軸方向にスリットで区切られた複数の板バネを備え、前記複数の板バネは傾斜状に成形されていることを特徴とする。【０００９】  上記目的を達成するため請求項２に記載された考案は、、
ロッドアンテナに挿入され、弾性及び導電性を有するホルダにおいて、前記ホルダの円筒部に、軸方向にスリットで区切られた複数の板バネを備え、前記複数の板バネはハの字状に成形されていることを特徴とする。本考案のホルダに設けられた複数の板バネは、交互に傾斜の方向を変えることにより、板バネをハの字状としている。【００１０】  上記目的を達成するため請求項３に記載された考案は、
ロッドアンテナに挿入され、弾性及び導電性を有するホルダにおいて、前記ホルダの円筒部に、軸方向にスリットで区切られた複数の板バネを備え、前記複数の板バネはくの字又は、逆くの字状に成形されていることを特徴とする。本考案のホルダに設けられた複数の板バネは、くの字状としているが、くの字の方向は交互に方向を変えても良い。【００１１】  上記目的を達成するため請求項４に記載された考案は、
前記板状バネの板厚が、ホルダを成形している板厚よりも薄く成形されていることを特徴とする。本考案の板バネの厚みを薄くすることは、プレス成形される段階において調整され、バネ定数を小さくすることが可能である。【００１２】  上記目的を達成するため請求項５に記載された考案は、
前記ホルダには、孔が設けられた鍔が成形されていることを特徴とする。鍔に成形される孔は、筐体にロッドアンテナを取付時にネジ止めされる孔であり、円及び楕円状にした形状であってもよい。【００１３】  上記目的を達成するため請求項６に記載された考案は、
前記ホルダに成形された鍔部に接点ピンが設けられていることを特徴とする。
ホルダに成形された鍔部は、導電性を有したピンを設けて、突起状とすることが望ましい。またピンは、かしめ、溶接、圧入、成形、等で作られていればよい。
【考案の効果】
【００１４】  以上請求項１から６までの考案によれば、ロッド型アンテナの保持部品の機能を維持しつつ、スプリングとしての機能を有し、バネ定数を小さくするように構成されていることにより、スプリング機能付きホルダとして提供することができる。
【図面の簡単な説明】
【００１５】
【図１】本考案が挿入されたロッドアンテナが電子機器に装着された状態を示す。
【図２】本考案が挿入されたロッドアンテナの斜視図及びホルダ部の拡大図を示す。
【図３】本考案を実施するための形態のホルダに設けられた第１の板バネを示す。
【図４】本考案を実施するための形態のホルダに設けられた第２の板バネを示す。
【図５】本考案を実施するための形態のホルダに設けられた第３の板バネを示す。
【図６】本考案を実施するための形態のホルダに設けられた接点ピンを示す。
【図７】従来のホルダの形態を示す。
【考案を実施するための形態】
【００１６】  本考案の実施の形態は、電子機器に搭載される代表的な地デジ用アンテナを例にして説明する。
【００１７】  図１は、本考案のホルダが装着されたアンテナの取付図であって、電気機器１にロッドアンテナ２を取り付けた一般的な構成を示している。本実施例のロッドアンテナでは、ディスプレイ付の電子機器１に搭載され、地デジ等の受信機能を装備している機器を主にしている。
【００１８】  本考案のロッドアンテナ２の斜視図及びホルダ部２０の拡大図を図２に示す。ロッドアンテナ２の取付は、ロッドアンテナ２に装着されたホルダ２０が、ロッドアンテナ２に組み付けられており、ホルダ２０の鍔部５０に造られた孔４０を利用し、筐体の所定箇所にネジ止めすることによりロッドアンテナ２が電子機器１に装着される。
【００１９】  図３は、本考案のホルダ２０の構造である。ロッドアンテナ２を保持するには、バネ用素材で成形されたホルダ２０の筒部がスプリングとして機能することにより、ロッドアンテナを伸長または収納時に固定する保持力、及びロッドアンテナ伸長時に、任意の角度で保持するための保持力を発生する。
【００２０】  また、アンテナとしての基本構成である送受信を行うための給電点としての機能もホルダに有しており、ホルダの素材をバネ材であるベリリウム銅等を使用することで、導電率を高く設定でき、アンテナ側へ電力を供給する場合、ロスが少ない構成をとることが可能である。
【００２１】  本考案の特徴であるホルダ２０は、筒状の形状を有している。本ホルダ２０に成形された筒状部には、軸方向にスプリングとなる複数の板状バネ２１が成形されており、板バネ２１を傾斜状とすることにより、板バネ２１の長さを最大限に確保することができる。
【００２２】  この結果、アンテナを保持するための板バネのバネ定数を小さくすることが可能となり、短小化によるバネ定数が大きくなる問題を防ぐことができる。
【００２３】  ここで、バネ定数が大きくなる問題を説明する。
従来のホルダの構成を図７に示す。従来はホルダの中に筒状スプリング７１が挿入されている。スプリング７１には、軸方向に複数の板バネ７２が成形されている。この構成において、ホルダ７０を小型短小化するには、スプリング７１も同時に短小化しなくてはならず、スプリング７１に設けられた複数の板バネ７２の寸法（軸方向）も短くなり、バネ定数が大きくなる問題が発生する。
【００２４】  また、スプリング７１の短小化によりバネ定数が大となることは、筒内の板バネのたわみ寸法を１／１００ｍｍ単位で設定しても、スプリングとしての荷重変動範囲が約５０ｇｆ以上変化するため、所定の荷重（略３００ｇｆ）を得るには非常に困難となる。このため、所定の保持力を得ることができないスプリングが生産され、歩留まりの悪い部品となってしまう。
【００２５】  また、図１（ｃ）に示すように、ロッドアンテナ伸長時に任意の角度で保持する場合、回転時の保持荷重（回転トルク）も満足させる必要がある。この場合も短小化によりバネ定数が大きくなることにより、任意の角度で保持するための保持荷重（回転トルク）を設定することも困難となる。
【００２６】  よって、ロッドアンテナ保持用のスプリングには、軸方向での保持力と回転時の保持力とを同時に確保しなくてはならないため、ロッドアンテナに要求されている小型化への取り組みに対して、大きな技術的な課題となっている。
【００２７】  上記問題に対し、本考案のホルダ２０は、スプリング機能を有しているとともに、短小化に対し、バネ定数を小さくする形状としている。本考案の実施の形態の第１の形状を図３に示す。板バネの形状を傾斜状とした板バネ２１としている。
【００２８】  従来の形状である、軸方向と平行な直線状の板バネとを比較した結果、本校案の板バネ２１の全長が長くなるため、約１０％以上バネ定数を小さくすることができ、小型短小化に対して有効に作用する。
【００２９】  本考案のホルダの実施の形態の第２の形状を図４に示す。板バネの形状をハの字状２２としたものである。板バネの形状をハの字状２２としたことにより、図３で示した板状バネの傾斜方向が全て同じ向きで成形されたものとの違い、時計回り（ＣＷ）反時計回り（ＣＣＷ）の回転方向に対して、トルクの変化を最小限とすることができる。また、電子機器に装着し、ロッドアンテナを所定の角度にて保持する場合（図１（ｃ）に示した回転動作）、安定したトルクを得ることができ、官能的感触も良好となる。
【００３０】  本考案のホルダの実施形態の第３の形状を図５に示す。板バネの形状をくの字状２３としたものである。基本的には図３の形状とほぼ同じ性能を得ることができる。
【００３１】  本考案のホルダの実施形態の成形において、一般的には順送プレス金型により成形されている。本成形方法を使用すれば、板バネ部（例：図３板バネ２１）のみの板厚を所定の厚みに薄くすることが可能である。板バネの厚さを薄くすることにより、バネ定数を小さくすることが可能となり、図３（２１）図４（２２）及び図５（２３）の板バネに採用することにより、その効果は更にバネ定数を小さくすることが可能となる。
【００３２】  本考案のホルダの実施の形態に接点ピン６０を取り付けた形状を図６に示す。本考案の図６に示すホルダ２０は、電子機器にロッドアンテナを取り付ける接続部品の機能を有すると共に、受信した電気信号を、ホルダ２０を経由し筐体側へ伝えられる。
【００３３】  一般的にロッドアンテナが受信した電気信号は、ホルダをネジ止めする際に、筐体側に設けられた接点ピンがホルダの所定箇所に接触し、電気信号が伝えられる。しかし設計上の都合から、ホルダに設けられた接点ピン６０を利用することがある。本接点ピン６０が筐体側にある接触子と接触することで、電気信号を伝える場合に必要となる構成である。
【産業上の利用可能性】
【００３４】  本考案の保持機構は、主に地デジ用アンテナとして説明してきたが、電子機器におけるラジオ受信機用アンテナ、トランシーバー等の無線機器類に取り付ける際に用いても同様な効果が発揮でき、特にロッドアンテナを搭載すべく、小型短小化を求める保持機構として電気機器製品全般に適用することができる。
【符号の説明】
【００３５】１    電子機器（携帯電話本体）
２    ロッドアンテナ
１０  ホルダ拡大部
２０  ホルダ
２１  第１の板バネ
２２  第２の板バネ
２３  第３の板バネ
５０  鍔部
６０  接点ピン
７０  ホルダ
７１  筒状スプリング
７２  板バネ
【図１】
0003184408.tif 000003
【図２】
0003184408.tif 000004
【図３】
0003184408.tif 000005
【図４】
0003184408.tif 000006
【図５】
0003184408.tif 000007
【図６】
0003184408.tif 000008
【図７】
0003184408.tif 000009